(57)【特許請求の範囲】
【請求項１】
イチョウ（Ginkgo bilola)の内種子を白色硬質の種皮が付いた状態でアルコール溶媒又はアルコールと水との混合溶媒にて浸漬して得られるイチョウ内種子抽出液を含有してなることを特徴とする洗浄液。
【請求項２】
ドクダミ(Houttuynia cordata)、スギナ(Equisetum arvense)、ユキノシタ(Saxifraga stolonifera)、トウガラシ(Capsicum annuum)、オオバコ(Plantago asiatica)、サツマイモ(Lpomoea batatas)の葉、センザイノキのうち少なくとも一種の薬草を醸造酢にて浸漬して得られる薬草抽出液を含有してなることを特徴とする請求項１に記載の洗浄液。
【請求項３】
ウメ（Prunus Mume Siebet Zucc）の果実をアルコール溶媒若しくはアルコールと水との混合溶媒に浸漬し又は食用塩に塩漬して得られるウメ果実抽出液を含有することを特徴とする請求項１または２に記載の洗浄液。
【請求項４】
柑橘系植物の果皮を醸造酢又はアルコール溶媒若しくはアルコールと水との混合溶媒に浸漬して得られる果皮抽出液を含有することを特徴とする請求項１から３に記載の洗浄液。
【発明の詳細な説明】
【０００１】
【発明の属する技術分野】
本発明は、食器、衣類、トイレ、浴槽等の洗浄に用いられる洗浄液に関し、更に詳しくは、イチョウ内種子抽出液を含有して優れた洗浄機能と殺菌、抗菌、消臭機能を有して多目的に使用することができ、かつ人体や環境に無害の洗浄液に関するものである。
【０００２】
【従来の技術】
従来、主に家庭用の洗剤、洗浄剤として、例えば、食器洗いや衣類等の洗濯には界面活性剤を主成分とする合成洗剤、トイレ、浴槽等の洗浄には酸・アルカリを主成分とする洗浄剤、衣類等の漂白には塩酸系薬剤を主成分とする漂白剤といったように、各用途に応じた洗剤、洗浄剤が提供されている。
【０００３】
ところが、上記のような洗剤、洗浄剤は、環境汚染、特に水質汚染の原因の一つとなっているばかりでなく、人体に対しても皮膚炎等の悪害を及ぼすことがあり、その影響が懸念されている。
【０００４】
また、近年では、衛生上の観点から、食器や衣類等に対して殺菌、抗菌処理や脱臭処理が行える洗剤、洗浄剤が望まれている。
【０００５】
【発明が解決しようとする課題】
そこで、本発明は、優れた洗浄機能と殺菌、抗菌、脱臭機能とを有するとともに、自然環境や人体に対して害のない安全性に優れた洗浄液を提供することを課題とするものである。
【０００６】
【課題を解決するための手段】
上記課題を解決するために、まず、請求項１に記載の発明が採った手段は、イチョウ（Ginkgo bilola)の内種子を白色硬質の種皮が付いた状態でアルコール溶媒又はアルコールと水との混合溶媒にて浸漬して得られるイチョウ内種子抽出液を含有してなることを特徴とする洗浄液である。
【０００７】
本発明者らは鋭意検討を重ねた結果、一般にギンナン（銀杏）の名称で知られ、主に食用とされるイチョウ（Ginkgo bilola)内種子のアルコール抽出液が高い洗浄力を有することを見出し、本発明に至った。
【０００８】
イチョウ内種子は、イチョウ種子の多肉質の外種皮を除いて得られる白色硬質の種皮に覆われた部分であり、その内部にある胚乳は、従来より食用とされている。この内種子を白色硬質の種皮が付いた状態で、アルコール溶媒またはアルコールと水との混合溶媒（以下、両者を総称してアルコール溶媒等という）に浸漬して抽出することによりイチョウ内種子抽出液を調製する。白色硬質の種皮を剥いて浸漬すると、腐敗が生じるからである。
【０００９】
アルコール溶媒等には、アルコール含有量が３５％以上のものを用いることが好ましい。アルコール含有量の低いものを用いると、抽出過程で内種子が腐敗してしまう虞があるからである。アルコール溶媒等としては、メタノールやエタノール等の他、ウォッカ、ブランデー、ウイスキー等の飲用酒をそのまま又は水と混合させて用いることができる。
【００１０】
イチョウ内種子抽出液は、その原液を洗浄液として用いることができ、また、一般に市販されている洗剤や洗浄剤と混合して用いることもできる。
【００１１】
また、請求項２に記載の発明が採った手段は、ドクダミ(Houttuynia cordata)、スギナ(Equisetum arvense)、ユキノシタ(Saxifraga stolonifera)、トウガラシ(Capsicum annuum)、オオバコ(Plantago asiatica)、サツマイモ(Lpomoea batatas)の葉、センザイノキのうち少なくとも一種の薬草を醸造酢にて浸漬して得られる薬草抽出液を含有してなることを特徴とする請求項１に記載の洗浄液である。
すなわち、イチョウ内種子抽出液に、薬草を醸造酢に浸漬して得られる薬草抽出液を配合することにより、洗浄作用を促進するとともに、漂白、柔軟、抗菌及び脱臭等の諸機能を付加した洗浄液である。
【００１２】
薬草抽出液の調製に用いる薬草には、ドクダミ(Houttuynia cordata)、スギナ(Equisetum arvense)、ユキノシタ(Saxifraga stolonifera)、トウガラシ(Capsicum annuum)、オオバコ(Plantago asiatica)、サツマイモ(Lpomoea batatas)の葉、センザイノキ等が使用できる。また、これら薬草の１種類を用いてもよいし、２種類以上を組み合わせて用いてもよい。さらに、上記薬草は、原草をそのまま用いることもできるし、乾燥したものを用いることもできる。
尚、本明細書において「薬草」とは、全草の他、枝葉、根、根茎、実、種子、胚乳など、その一部を意味するものである。
【００１３】
醸造酢には、米酢、芋酢等の穀物酢、リンゴ酢、ブドウ酢等の果実酢、合成酢等を用いることができる。
【００１４】
上記の醸造酢に薬草を浸漬することによって得られる抽出液を薬草抽出液として用いる。薬草抽出液を配合することにより、洗浄機能がより向上するとともに、抗菌作用、漂白作用及び消臭作用を奏するようになる。また、衣類等の布製品に対しては柔軟作用をも奏するようになる。また、食器洗いに用いる場合のように、洗浄液が手肌に直接につくような場合には、洗浄液によって手肌が荒れることを防止できるようになる。
【００１５】
また、請求項３に記載の発明が採った手段は、ウメ（Prunus Mume Siebet Zucc）の果実をアルコール溶媒等しくはアルコールと水との混合溶媒に浸漬又は食用塩に塩漬して得られるウメ果実抽出液を含有することを特徴とする請求項１または２に記載の洗浄液である。
この洗浄液は、アルコール溶媒等に浸漬又は食用塩に塩漬することにより得られるウメ果実抽出液を配合することによって、洗浄作用と殺菌、抗菌作用とをより一層向上させた洗浄液である。
【００１６】
アルコール溶媒等としては、イチョウ内種子抽出液に用いるものと同様のものを用いることができ、メタノールやエタノール等の他、ウォッカ、ブランデー、ウイスキー等の飲用酒をそのまま又は水と混合させて用いることができる。
【００１７】
食用塩とは、食用に供することのできる塩のことであり、塩化ナトリウム（食塩）、塩化カリウム等の無機塩を用いることができるが、汎用性の観点から塩化ナトリウムを用いることが好ましい。ウメ果実に添加する食用塩の添加量は、少なくとも等張以上の浸透圧となる濃度以上の添加量が必要である。等張以下の濃度であると浸透作用を利用して抽出することができないからである。
【００１８】
上記のアルコール溶媒等にウメ果実を浸漬することにより得られる抽出液又は上記の食用塩にウメ果実を塩漬することでウメ果実より分離される液状部をウメ果実抽出液として用いる。
【００１９】
また、請求項４に記載した発明が採った手段は、柑橘系植物の果皮を醸造酢又はアルコール溶媒若しくはアルコールと水との混合溶媒に浸漬して得られる果皮抽出液を含有することを特徴とする請求項１から３に記載の洗浄液である。
この洗浄液は、果皮抽出液を配合することによって、特に、金属に対する洗浄機能を向上させるとともに、芳香を付加した洗浄液である。
【００２０】
果皮抽出液の調製には、例えば、ウンシュウミカン（Citrus unshiu）、オレンジ（Citrus auranthium）、レモン（Citrus limon）、グレープフルーツ（Citrus paradisi）、ダイダイ（Rutaceae Auranti-Pericarpium）等の柑橘系植物の果皮を使用する。そして、これら果皮の１種類を用いてもよいし、２種類以上を組み合わせて用いてもよい。さらに、上記果皮は、生皮をそのまま用いることもできるし、乾燥して用いることもできる。
【００２１】
抽出溶媒には、アルコール溶媒等又は醸造酢を用いる。これらはイチョウ内種子抽出液又は薬草抽出液に用いるアルコール溶媒等又は醸造酢と同様のものを用いることができる。このアルコール溶媒等または醸造酢に果皮を浸漬することによって得られる抽出液を果皮抽出液として用いる。
【００２２】
果皮抽出液を洗浄液に配合することにより、特に、金属に対する洗浄作用を向上させることができる。また、柑橘系植物の果実に特有の爽やかな芳香が加わって、使用感の良い洗浄液とすることができる。
【００２３】
【発明の実施の形態】
以下、本発明の実施例を説明する。
イチョウ内種子抽出液の調製は、以下のように行った。イチョウ（Ginkgo bilola)種子の外種皮を剥離し、白色の硬皮からなる内種子を得た。この内種子を、硬皮の付いた状態のままアルコール抽出に用いた。抽出溶媒には、ウォッカ（アルコール度数３５％）を用いた。イチョウ内種子４ｋｇを遮光性のプラスチック製密封容器に入れ、これにウォッカ５Ｌを加えて、常温でおよそ１年から２年放置して浸漬抽出を行い、イチョウ内種子抽出液を得た。
【００２４】
薬草抽出液の調製は、以下のように行った。まず、ドクダミ(Houttuynia cordata)及びスギナ(Equisetum arvense)の全草を、天日に晒して十分に乾燥させてドクダミ乾燥物及びスギナ乾燥物を得た。このドクダミ乾燥物１１０ｇ及びスギナ乾燥物１１０ｇを、透光性のプラスチック製密封容器に入れ、ジャガイモ酢１０Ｌに浸漬し常温で２ヶ月以上放置して浸漬抽出を行い、薬草抽出液を得た。
【００２５】
ウメ果実抽出液の調製は、以下のように行った。ウメ（Prunus Mume Siebet Zucc）の果実をプラスチック製密閉容器に入れ、これに容器内のウメ果実の全体が隠れる程度の量の食塩（塩化ナトリウム）を添加した。そして、冷暗所にて１〜２年放置して塩漬抽出を行い、ウメ果実より分離した液状部分をウメ果実抽出液とした。
【００２６】
果皮抽出液の調製は、以下のように行った。天日乾燥させたウンシュウミカン（Citrus unshiu）の果皮をプラスチック製密封容器に入れ、これにジャガイモ酢を果皮全体が浸る程度まで加えて３日以上放置した後、果皮抽出液を得た。
【００２７】
上記のようにして得られたイチョウ内種子抽出液８８０ｍLと、薬草抽出液８Ｌと、ウメ果実抽出液８８０ｍLとを混合して３日間放置した後、上記の果皮抽出液８８０ｍLを加えて混合抽出液を調製し、これを洗浄液として用いた。このように、果皮抽出液を後から加えることで、混合抽出液が経時分離することを防止することができる。
【００２８】
上記のようにして得られる混合抽出液は、優れた洗浄機能と殺菌、抗菌、脱臭機能とを有しており、台所用、衣類用、トイレ用等、多用途に使用することができる。この混合抽出液は、その原液を洗浄液として使用できることは勿論、目的に応じて一般に市販されている洗剤や洗浄剤と混合して使用することもできる。洗剤、洗浄剤一般と混合することで、混合抽出液の洗浄機能と、洗剤、洗浄剤一般の洗浄機能とが相乗的に作用し、より優れた洗浄効果が得られる。
【００２９】
更に、本実施例に係る洗浄液は、天然由来の成分より構成されるため、人体に対して無害であり、また、自然環境に対しても悪影響を与えることがない。
【００３０】
以下に、本実施例に係る洗浄液の使用方法について説明する。
本実施例に係る洗浄液を台所用洗浄液として使用する場合は、混合抽出液の原液または一般に市販されている台所用洗剤と混合したものを用いる。市販の台所用洗剤と混合する場合、混合抽出液と台所用洗剤一般との配合量は、適宜加減して用いることができるが、洗浄性や泡切れ性等の観点から、混合抽出液と台所用洗剤一般とはそれぞれ２：１の割合で混合するとよい。このように調製される台所用洗浄液は、市販される台所用洗剤一般と同様に、スポンジ等に浸み込ませて擦り洗いをして使用する。
【００３１】
本実施例に係る洗浄液は、油汚れに対して強力な洗浄力を発揮し、市販の台所用洗剤では落ちにくいプラスチック容器に付着した油汚れ対しては特に有効であった。また、優れた漂白作用を奏するので、布巾を浸け置きして漂白したり、排水口などに噴霧しておくことで水回りに発生するぬめりを除去できる。さらに、殺菌、抗菌作用をも奏するので、洗浄後の食器等における雑菌の繁殖を防止することができる。
【００３２】
本実施例に係る洗浄液を衣類等の洗濯用洗浄液として使用する場合は、混合抽出液を原液のまま使用してもよいが、一般に市販されている頭髪用シャンプーと混合して使用してもよい。市販の頭髪用シャンプーと混合する場合、混合抽出液と頭髪用シャンプーとの配合量は、適宜加減することができるが、洗浄性や泡切れ性等の観点から、混合抽出液と頭髪用シャンプーとはそれぞれ２：１の割合で混合するとよい。このように調製した洗濯用洗浄液を、衣類等と共に洗濯機内に適当量投入し、水道水を加えて洗濯を行う。
また、ワイシャツの襟袖等のように、特に汚れがひどい部分には、予め洗浄液を塗布しておくとよい。
【００３３】
本実施例に係る洗浄液を衣類用洗浄液として使用することによって、優れた洗浄効果が得られるとともに、殺菌・抗菌作用や漂白作用、脱臭作用、柔軟作用等が発揮されて、洗濯後の衣類をよりきれいにかつ清潔に仕上げることができる。
【００３４】
トイレ用又は風呂場用洗浄剤として使用する場合は、衣類用洗浄液として使用する場合と同様に、混合抽出液を原液まま用いるか、混合抽出液と一般に市販されている頭髪用シャンプーとを混合したものを用いる。混合抽出液と市販される頭髪用シャンプーとを混合して用いる場合、これらの配合量は適宜加減して用いることができるが、洗浄性や泡切れ性等の観点から、混合抽出液と頭髪用シャンプーとはそれぞれ２：１の割合で混合するとよい。このように調製した洗浄液を浴槽や便器の汚れ部分に噴霧し、スポンジやブラシで擦るか拭き取るかして洗浄する。
【００３５】
本実施例に係る洗浄液をトイレ用又は風呂用洗浄液として使用することによって、便器や浴槽等に付着する汚れに対して高い洗浄効果が得られる。また、殺菌・抗菌作用や漂白作用、脱臭作用等により、洗浄後の便器や浴槽等の雑菌の繁殖を防止することができるので清潔に保つことができる。
【００３６】
この他、上記の使用形態に限られず、例えば、床や家具を磨くときに使用する住宅、家具用洗浄液として使用できる他、自動車の洗車に使用する等、あらゆる用途に使用することができる。
【００３７】
【発明の効果】
請求項１に記載の洗浄液によれば、イチョウの内種子を白色硬質の種皮が付いた状態でアルコール溶媒またはアルコールと水との混合溶媒に浸漬し抽出して得られるイチョウ内種子抽出液を含有することにより、食器洗いや洗濯の他、トイレや浴槽の洗浄等、多用途に用いることができ優れた洗浄効果を奏する。また、生分解可能な天然成分より構成されるため、自然環境や人体に対して無害である。
【００３８】
請求項２に記載の洗浄液によれば、請求項１に記載の洗浄液の効果に加えて、ドクダミ(Houttuynia cordata)、スギナ(Equisetum arvense)、ユキノシタ(Saxifraga stolonifera)、トウガラシ(Capsicum annuum)、オオバコ(Plantago asiatica)、サツマイモ(Lpomoea batatas)の葉、センザイノキのうち少なくとも一種の薬草を醸造酢に浸漬し抽出して得られる薬草抽出液を含有することにより、殺菌、抗菌、脱臭作用を奏するので、洗浄後における食器、衣類等を清潔に保つことができる。また、漂白作用と柔軟作用も奏するので、別途漂白剤や柔軟剤を用いることなく、衣類等のシミやくすみを除去することができるとともに、洗濯後の衣類を柔らかく仕上げることができる。さらに、保湿作用をも奏するので、例えば、食器洗いのとき等に洗浄液が直接手に触れる場合に手荒れを防止することができる。
【００３９】
請求項３に記載の洗浄液によれば、請求項１または２に記載の洗浄液の効果に加えて、ウメの果実をアルコール溶媒若しくはアルコールと水との混合溶媒に浸漬又は食用塩に塩漬することにより得られるウメ果実抽出液を含有することによって、より優れた洗浄作用と殺菌、抗菌作用を奏する。
【００４０】
請求項４に記載の洗浄液によれば、請求項１から３に記載の洗浄液の効果に加えて、柑橘系植物の果皮をアルコール溶媒若しくはアルコールと水との混合溶媒に浸漬し又は食用塩に塩漬して得られる果皮抽出液を含有することによって、特に金属に対して優れた洗浄作用を発揮することができる。また、洗浄液に柑橘系植物特有の爽やかな芳香が加わって使用感が向上する。